(57)【要約】      （修正有）【課題】係合前のフックエレメントの姿勢の安定化を促進するスライドファスナーを提供する。【解決手段】スライダー２００は、上翼板２１０と下翼板２２０が対向配置された主部と、上翼板２１０の前端部に連結した上部ガイド板２３０と、下翼板２２０の前端部に連結した下部ガイド板２４０と、上部ガイド板２３０と下部ガイド板２４０を連結する連結柱２５０を含む副部を有する。連結柱２５０が、柱上部２５１、柱下部２５２、及び左右方向に延在して柱上部２５１と柱下部２５２を連結する中間連結部２５３を含む。左右一方のフックエレメントのフック部が上部ガイド板２３０と中間連結部２５３の間を通過し、左右他方のフックエレメントのフック部が下部ガイド板２４０と中間連結部２５３の間を通過する。下部ガイド板２４０には、左右他方のフックエレメントの本体部を支持可能である支持板２４５が連結される。【選択図】図６
0003197094.tif 000002
【実用新案登録請求の範囲】
【請求項１】
本体部（１２０）に対してフック部（１１０）が連結したフックエレメント（１００）が輪体（１５０）を介して連続した左右一対のエレメント列（３００）を開閉するためのスライダー（２００）であって、
上翼板（２１０）と下翼板（２２０）が上下間隔を空けて対向配置され、左側の前記フックエレメント（１００）の前記フック部（１１０）を右側の前記輪体（１５０）を通して右側の前記フックエレメント(１００)の前記本体部（１２０）の被係合部（１３０）に係合及び非係合にし、右側の前記フックエレメント（１００）の前記フック部（１１０）を左側の前記輪体（１５０）を通して左側の前記フックエレメント(１００)の前記本体部（１２０）の被係合部（１３０）に係合及び非係合にするべく構成されたスライダー主部（２０１）と、
左右の前記フックエレメント（１００）を前記スライダー主部（２０１）へ送るべく構成されたスライダー副部（２０２）にして、前記上翼板（２１０）の前端部に対して連結した上部ガイド板（２３０）と、前記下翼板（２２０）の前端部に対して連結した下部ガイド板（２４０）と、前記上部ガイド板（２３０）と前記下部ガイド板（２４０）を連結する連結柱（２５０）を含み、前記連結柱（２５０）が、前記上部ガイド板（２３０）に連結した柱上部（２５１）、前記下部ガイド板（２４０）に連結した柱下部（２５２）、及び左右方向に延在して前記柱上部（２５１）と柱下部（２５２）を連結する中間連結部（２５３）を含み、左右一方の前記フックエレメント（１００）の前記フック部（１１０）が前記上部ガイド板（２３０）と前記中間連結部（２５３）の間を通過可能であり、左右他方の前記フックエレメント（１００）の前記フック部（１１０）が前記下部ガイド板（２４０）と前記中間連結部（２５３）の間を通過可能である、スライダー副部（２０２）を備え、
前記下部ガイド板（２４０）には、前記左右他方のフックエレメント（１００）の前記本体部（１２０）を支持可能である支持板（２４５）が連結される、スライダー。
【請求項２】
前記支持板（２４５）上には前後方向に延びるガイド突起（２４６）が設けられる、請求項１に記載のスライダー。
【請求項３】
前記支持板（２４５）の上面が前記下部ガイド板（２４０）の上面よりも段下げされている、請求項１又は２に記載のスライダー。
【請求項４】
前記上翼板（２１０）と前記上部ガイド板（２３０）の境界位置に下方に突出して設けられた上部隆起部（２６１）と、
前記下翼板（２２０）と前記下部ガイド板（２４０）の境界位置に上方に突出して設けられ、前記上部隆起部（２６１）に対して間隔を空けて対向配置された下部隆起部（２６２）を更に備える、請求項１乃至３のいずれか一項に記載のスライダー。
【請求項５】
本体部（１２０）に対してフック部（１１０）が連結したフックエレメント（１００）が輪体（１５０）を介して連続した左右一対のエレメント列（３００）と、
前記左右一対のエレメント列（３００）を開閉するべく前進及び後進可能である請求項１乃至４のいずれか一項に記載のスライダー（２００）を備えるスライドファスナー（４００）。
【請求項６】
前記フックエレメント（１００）の前記本体部（１２０）の前後端部には前記輪体（１５０）が通される前後一対の目穴（１２１）が設けられ、前記本体部（１２０）の上下面には前後方向に延びる一対の凸部（１２２）が設けられ、前記本体部（１２０）には前記凸部（１２２）を挟むように前記フック部（１１０）と取付穴（１２３）が設けられ、
前記取付穴（１２３）の中心と前記フック部（１１０）の先端を結ぶ軸線（Ｌ１０）が前記凸部（１２２）の延在方向に一致する軸線（Ｌ２０）に対して為す鋭角の角度が５０°〜９０°である、請求項５に記載のスライドファスナー。
【考案の詳細な説明】
【技術分野】
【０００１】
本開示は、スライダー及びスライドファスナーに関する。
【背景技術】
【０００２】
復刻版のスライドファスナーが特許文献１に提案されている。特許文献１においては、同文献の図１に示すように、スライダー胴体４１の前方に支持柱４２が連結される。同文献の図２に示すように、スライダー胴体４１が表翼板４３及び裏翼板４４を有し、支持柱４２が第１支持板７１、第２支持板７２、第１側壁７３、第２側壁７４、及び連結板７５を有する。支持柱４２の連結板７５を挟んで上下にエレメント通路が設けられ、スライダーの移動によって、よりスムーズにチェーンファスナーを開閉できる。
【先行技術文献】
【特許文献】
【０００３】
【特許文献１】国際公開第２０１２／０４２６５１号
【考案の概要】
【考案が解決しようとする課題】
【０００４】
特許文献１の支持柱４２の対向配置された第１支持板７１と第２支持板７２の間隔をフックエレメントの通過のために適度に確保することが望まれるが、そのようにすると移動中のフックエレメントの姿勢を安定保持し難くなり、スライドファスナーを開閉し難くなるおそれがある。これに加え、フックエレメントが自身の自重によりある方向、例えば地面側に垂れ下がることが懸念され、この場合、スライドファスナーを閉じるためのスライダーの前進時に上述の第２支持板７２に対してフックエレメントが衝突して引っかかり、スライダーの前進が阻止されてしまうおそれがある。
【課題を解決するための手段】
【０００５】
本考案の一態様に係るスライダーは、本体部（１２０）に対してフック部（１１０）が連結したフックエレメント（１００）が輪体（１５０）を介して連続した左右一対のエレメント列（３００）を開閉するためのスライダー（２００）であって、
上翼板（２１０）と下翼板（２２０）が上下間隔を空けて対向配置され、左側の前記フックエレメント（１００）の前記フック部（１１０）を右側の前記輪体（１５０）を通して右側の前記フックエレメント(１００)の前記本体部（１２０）の被係合部（１３０）に係合及び非係合にし、右側の前記フックエレメント（１００）の前記フック部（１１０）を左側の前記輪体（１５０）を通して左側の前記フックエレメント(１００)の前記本体部（１２０）の被係合部（１３０）に係合及び非係合にするべく構成されたスライダー主部（２０１）と、
左右の前記フックエレメント（１００）を前記スライダー主部（２０１）へ送るべく構成されたスライダー副部（２０２）にして、前記上翼板（２１０）の前端部に対して連結した上部ガイド板（２３０）と、前記下翼板（２２０）の前端部に対して連結した下部ガイド板（２４０）と、前記上部ガイド板（２３０）と前記下部ガイド板（２４０）を連結する連結柱（２５０）を含み、前記連結柱（２５０）が、前記上部ガイド板（２３０）に連結した柱上部（２５１）、前記下部ガイド板（２４０）に連結した柱下部（２５２）、及び左右方向に延在して前記柱上部（２５１）と柱下部（２５２）を連結する中間連結部（２５３）を含み、左右一方の前記フックエレメント（１００）の前記フック部（１１０）が前記上部ガイド板（２３０）と前記中間連結部（２５３）の間を通過可能であり、左右他方の前記フックエレメント（１００）の前記フック部（１１０）が前記下部ガイド板（２４０）と前記中間連結部（２５３）の間を通過可能である、スライダー副部（２０２）を備え、
前記下部ガイド板（２４０）には、前記左右他方のフックエレメント（１００）の前記本体部（１２０）を支持可能である支持板（２４５）が連結される。
【０００６】
幾つかの実施形態においては、前記支持板（２４５）上には前後方向に延びるガイド突起（２４６）が設けられる。
【０００７】
幾つかの実施形態においては、前記支持板（２４５）の上面が前記下部ガイド板（２４０）の上面よりも段下げされている。
【０００８】
幾つかの実施形態においては、前記上翼板（２１０）と前記上部ガイド板（２３０）の境界位置に下方に突出して設けられた上部隆起部（２６１）と、前記下翼板（２２０）と前記下部ガイド板（２４０）の境界位置に上方に突出して設けられ、前記上部隆起部（２６１）に対して間隔を空けて対向配置された下部隆起部（２６２）を更に備える。
【０００９】
本考案の別態様に係るスライドファスナーは、本体部（１２０）に対してフック部（１１０）が連結したフックエレメント（１００）が輪体（１５０）を介して連続した左右一対のエレメント列（３００）と、前記左右一対のエレメント列（３００）を開閉するべく前進及び後進可能である上記いずれかのスライダー（２００）を備える。
【００１０】
幾つかの実施形態においては、前記フックエレメント（１００）の前記本体部（１２０）の前後端部には前記輪体（１５０）が通される前後一対の目穴（１２１）が設けられ、前記本体部（１２０）の上下面には前後方向に延びる一対の凸部（１２２）が設けられ、前記本体部（１２０）には前記凸部（１２２）を挟むように前記フック部（１１０）と取付穴（１２３）が設けられ、
前記取付穴（１２３）の中心と前記フック部（１１０）の先端を結ぶ軸線（Ｌ１０）が前記凸部（１２２）の延在方向に一致する軸線（Ｌ２０）に対して為す鋭角の角度が５０°〜９０°である。
【考案の効果】
【００１１】
本考案の一態様によれば、係合前のフックエレメントの姿勢の安定化を促進することができる。
【図面の簡単な説明】
【００１２】
【図１】本考案の第１実施形態に係るスライドファスナーの概略的な上面図であり、左右一対のエレメント列の後端が止具に連結し、左右一対のエレメント列の前端側にスライダーが在る状態を示す。
【図２】本考案の第１実施形態に係るスライドファスナーの概略的な上面図であり、左側のエレメント列、止具、及びスライダーの左半分を選択的に示す。
【図３】本考案の第１実施形態に係るスライドファスナーの左右のエレメント列に含まれるフックエレメントを選択的に示す概略的な上面図である。
【図４】本考案の第１実施形態に係るスライドファスナーのスライダーの概略的な斜視図である。
【図５】本考案の第１実施形態に係るスライドファスナーのスライダーの概略的な上面図である。
【図６】本考案の第１実施形態に係るスライドファスナーのスライダーの概略的な左側面図である。
【図７】本考案の第１実施形態に係るスライドファスナーのスライダーの概略的な右側面図である。
【図８】本考案の第１実施形態に係るスライドファスナーのスライダーの概略的な右側面模式図であり、連結柱の中間連結部の左右中央断面を示し、柱下部の図示は省略している。
【図９】本考案の第１実施形態に係るスライドファスナーのスライダーの概略的な前面図である。
【図１０】本考案の第１実施形態に係るスライドファスナーのスライダーの概略的な後面図である。
【図１１】本考案の第１実施形態に係るスライドファスナーの概略的な左側面図であり、左側のフックエレメントの本体部が支持板上に載置された状態を示す。
【図１２】本考案の第１実施形態に係るスライドファスナーの概略的な左側面図であり、連結柱の中間連結部の左右中央断面を示し、柱上部の図示を省略し、右側のフックエレメントの移動過程を示す。
【図１３】本考案の第１実施形態に係るスライドファスナーの概略的な右側面図であり、右側のフックエレメントの本体部が柱下部を上る若しくは下る状態を示す。
【図１４】本考案の第１実施形態に係るスライドファスナーの概略的な右側面図であり、連結柱の中間連結部の左右中央断面を示し、柱下部の図示を省略し、左側のフックエレメントの移動過程を示す。
【図１５】本考案の第２実施形態に係るスライドファスナーのスライダーの概略的な前面図である。
【図１６】本考案の第２実施形態に係るスライドファスナーのスライダーの概略的な前面図であり、左右のエレメント列も併せて図示する。
【考案を実施するための形態】
【００１３】
以下、図面を参照しつつ、本考案の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００１４】
次のように方向を定義することができる。左右方向は、スライダーに含まれる連結柱の中間連結部が延びる方向に一致する。前後方向は、エレメント列を開閉するためのスライダーの移動方向に一致する。上下方向は、左右方向及び前後方向に対して直交する方向である。上下方向は、例えば、上翼板から下翼板に向かう方向若しくは下翼板から上翼板に向かう方向である。
【００１５】
次のように方向を定義することもできる。左右方向は、スライダーに含まれる連結柱の中間連結部が延びる方向に一致する。上下方向は、左右方向に直交し、上翼板の上面若しくは下翼板の下面若しくは上部ガイド板の上面若しくは下部ガイド板の下面に直交する方向である。前後方向は、左右方向及び上下方向に対して直交する方向である。
【００１６】
＜第１実施形態＞
図１乃至図１４を参照して第１実施形態について説明する。図１は、スライドファスナーの概略的な上面図であり、左右一対のエレメント列の後端が止具に連結し、左右一対のエレメント列の前端側にスライダーが在る状態を示す。図２は、スライドファスナーの概略的な上面図であり、左側のエレメント列、止具、及びスライダーの左半分を選択的に示す。図３は、スライドファスナーの左右のエレメント列に含まれるフックエレメントを選択的に示す概略的な上面図である。図４は、スライドファスナーのスライダーの概略的な斜視図である。図５は、スライドファスナーのスライダーの概略的な上面図である。図６は、スライドファスナーのスライダーの概略的な左側面図である。図７は、スライドファスナーのスライダーの概略的な右側面図である。図８は、スライドファスナーのスライダーの概略的な右側面模式図であり、連結柱の中間連結部の左右中央断面を示し、柱下部の図示は省略している。図９は、スライドファスナーのスライダーの概略的な前面図である。図１０は、スライドファスナーのスライダーの概略的な後面図である。図１１は、スライドファスナーの概略的な左側面図であり、左側のフックエレメントの本体部が支持板により支持された状態を示す。図１２は、スライドファスナーの概略的な左側面図であり、連結柱の中間連結部の左右中央断面を示し、柱上部の図示を省略し、右側のフックエレメントの移動過程を示す。図１３は、スライドファスナーの概略的な右側面図であり、右側のフックエレメントの本体部が柱下部を上る若しくは下る状態を示す。図１４は、スライドファスナーの概略的な右側面図であり、連結柱の中間連結部の左右中央断面を示し、柱下部の図示を省略し、左側のフックエレメントの移動過程を示す。
【００１７】
図１乃至図１４に示すように、スライドファスナー４００は、左右一対のエレメント列３００、左右一対のエレメント列３００を開閉するために前後移動するスライダー２００、及び止具３５０を有する。スライダー２００の前進により左右一対のエレメント列３００が閉じられ、スライダー２００の後進により左右一対のエレメント列３００が開かれる。
【００１８】
左右のエレメント列３００は、各々、フックエレメント１００が輪体１５０を介して連続して構築される。フックエレメント１００は、本体部１２０と本体部１２０に連結したフック部１１０を含む。本体部１２０には、係合相手のフックエレメント１００のフック部１１０が係合する被係合部１３０が含まれる。詳細には、本体部１２０の前端部には前方に突出する被係合部１３０が設けられ、この被係合部１３０には輪体１５０が通される後述の目穴１２１が設けられる。フックエレメント１００は、金属原料を金型で成形して製造され、例えば、ダイキャスト成形により製造される。輪体１５０は、元々は金属線材であり、機械若しくは手作業によりフックエレメント１００同士を連結するように輪状に加工される。なお、輪体１５０は、閉じた輪体でなく、部分的に開いた輪体であっても構わない。
【００１９】
スライダー２００の前進及び後進により輪体１５０を通じた左右のフックエレメント１００同士の係合及び非係合が達成される。なお、係合される左右のフックエレメント１００は左右真横で隣り合うものではなく、前後方向において互いにオフセットしている。
【００２０】
スライダー２００の前進により左側のフックエレメント１００のフック部１１０が右側の輪体１５０に挿入され、左側のフックエレメント１００のフック部１１０が右側の輪体１５０を通じて右側のフックエレメント１００の本体部１２０の被係合部１３０に係合する。同様に、スライダー２００の前進により右側のフックエレメント１００のフック部１１０が左側の輪体１５０に挿入され、右側のフックエレメント１００のフック部１１０が左側の輪体１５０を通じて左側のフックエレメント１００の本体部１２０の被係合部１３０に係合する。このようにして左右のエレメント列３００が閉じられる。
【００２１】
スライダー２００の後進により左側のフックエレメント１００のフック部１１０が右側の輪体１５０から抜き出され、左側のフックエレメント１００のフック部１１０と右側のフックエレメント１００の本体部１２０の被係合部１３０が非係合になる。スライダー２００の後進により右側のフックエレメント１００のフック部１１０が左側の輪体１５０から抜き出され、右側のフックエレメント１００のフック部１１０と左側のフックエレメント１００の本体部１２０の被係合部１３０が非係合になる。このようにして左右のエレメント列３００が開かれる。なお、後述の説明から理解できるように、スライダー２００の前進及び後進時にスライダー２００により左右の各フックエレメント１００や各輪体１５０の配向が的確に制御される。
【００２２】
フックエレメント１００の本体部１２０の前後端部には輪体が通される前後一対の目穴１２１が設けられ、本体部１２０の上下面には前後方向に延びる上下一対の凸部１２２が設けられる。上下一対の凸部１２２は上下対称に設けられる。本体部１２０にはフック部１１０の反対側に取付穴１２３が設けられ、フック部１１０と取付穴１２３の間で凸部１２２が挟まれる態様にある。
【００２３】
左側のフックエレメント１００に関しては、フック部１１０が本体部１２０の右側縁に連結し、右側へ延びた後、後方へ屈曲する。右側のフックエレメント１００に関しては、フック部１１０が本体部１２０の左側縁に連結し、左側へ延びた後、後方へ屈曲する。フック部１１０は、本体部１２０に連結した幅広の基部を有し、基部から先端に向かって屈曲若しくは弧状の態様で先細りに延び、これにより対応の輪体１５０との十分な係合が確保される。
【００２４】
図３を見て分かるように、左右のエレメント列３００が閉じた状態において、左右一方のフックエレメント１００のフック部１１０が、左右他方の一つ後方のフックエレメント１００の目穴１２１ａが在る前端部、つまり上述の被係合部１３０を部分的に囲むように配される。フックエレメント１００の目穴１２１ａが在る前端部は、係合の相手方のフックエレメント１００のフック部１１０とその本体部１２０の後端部の間の隙間に適合するように構成される。これにより左右のフックエレメント１００同士の連結若しくは一体性が促進される。
【００２５】
前後に隣接するフックエレメント１００に関して、後方のフックエレメント１００の前端の目穴１２１ａと前方のフックエレメント１００の後端の目穴１２１ｂに金属線材が通され、この金属線材が環状に加工され、これにより、前後のフックエレメント１００が輪体１５０を介して連結される。同一のフックエレメント１００に関して前端側の目穴１２１ａの左右開口幅よりも後端側の目穴１２１ｂの左右開口幅が広い。また後端側の目穴１２１ｂは、短い範囲であるが凸部１２２を囲むように弧状に設けられる。かかる構成により、スライダー２００の前進時のフックエレメント１００の配向補正が促進される。
【００２６】
取付穴１２３の中心とフック部１１０の先端を結ぶ軸線Ｌ１０が凸部１２２の延在方向に一致する前後方向に延びる軸線Ｌ２０に対して為す鋭角の角度をθ°とする。この場合、この鋭角の角度θ°が、５０°以上であり、９０°以下であり、より好適には、６６°〜６６．５°である。これにより、対応の輪体１５０に対するフック部１１０の好適な挿入が確保される。
【００２７】
なお、フックエレメント１００は、上下対称及び左右非対称であり、左側のエレメント列３００と右側のエレメント列３００で同一のフックエレメント１００を用いることができる。輪体１５０は元々金属線材であり、左右のエレメント列３００に関して同一の構成になる。もちろん、左右のエレメント列３００において輪体１５０の構成を異ならせても良い。
【００２８】
左右のエレメント列３００の最後端に位置する輪体１５０が、止具３５０の左右一対の目穴に掛けられており、左右のエレメント列３００が止具３５０を介して連結している。代替的若しくは追加的に、左右のエレメント列３００の各前端を連結する止具を設けても構わない。
【００２９】
図１乃至図３においては、フックエレメント１００が取り付けられる生地や皮革等のシート類が省略されている。一例においては、前後に連続した鳩目が左右内縁に設けられた左右一対の皮革に対して各エレメント列３００の各フックエレメント１００が取り付けられる。詳細には、フックエレメント１００の取付穴１２３と皮革の鳩目に共通の紐が通され、フックエレメント１００が紐を介して皮革に対して取り付けられる。別形態においては、皮革の鳩目が省略され、皮革を貫通するように紐若しくは糸が縫われ、皮革に対してフックエレメント１００が縫着される。
【００３０】
スライダー２００は、スライダー主部２０１とスライダー副部２０２を含み、スライダー主部２０１がスライダー副部２０２と比較して後方に設けられ、スライダー副部２０２がスライダー主部２０１と比較して前方に設けられる。スライダー２００は、一例においてはダイキャスト成形された金属品であり、別例においては金型成形された樹脂品である。スライダー主部２０１の上面とスライダー副部２０２の上面には、スライダー主部２０１の後端部からスライダー副部２０２の前端部まで延びる引手取付柱２７０が設けられる。なお、より短い前後長の引手取付柱２７０を設けても構わない。引手の図示は省略しているが、任意の種類の引手が採用されるものとする。
【００３１】
スライダー主部２０１は、上翼板２１０と下翼板２２０が上下間隔を空けて対向配置された部分であり、上翼板２１０と下翼板２２０同士が直接的に連結されておらず、スライダー副部２０２を介して連結している。上翼板２１０と下翼板２２０の間隔は、フックエレメント１００の最大上下厚と、これと同等の輪体１５０の最大上下幅に対応して設定されており、詳細には、それらよりも僅かに大きく設定されている。上翼板２１０上面視形状と下翼板２２０の下面視形状は実質的若しくは完全に同一である。
【００３２】
上翼板２１０は、その左右側縁に左右一対の上部フランジ部２１１を有し、左右一対の上部フランジ部２１１の左右間隔が後方から前方に向かって僅かに狭まった後、より長い前後距離に亘って緩慢に広くなる。同様に、下翼板２２０は、その左右側縁に左右一対の下部フランジ部２２１を有し、左右一対の下部フランジ部２２１の左右間隔が後方から前方に向かって僅かに狭まった後、より長い前後距離に亘って緩慢に広くなる。上部フランジ部２１１と下部フランジ部２２１の間にはスリットが設けられる。このスリットの上下幅は、フックエレメント１００の本体部１２０の凸部１２２と取付穴１２３の間の部分の最大上下厚に対応し、詳細にはそれよりも僅かに大きく設定される。
【００３３】
上翼板２１０の左右一対の上部フランジ部２１１の間には左右の各上部フランジ部２１１との間に案内溝を形成するように凸設された上部仕切り構造２１５が設けられる。上部仕切り構造２１５の左右幅が後方から前方に向かって左右等しく漸増し、上部仕切り構造２１５の正面視形状が二等辺三角形状にある。スライダー２００の前進及び後進時、上部仕切り構造２１５と上部フランジ部２１１の間の案内溝にはフックエレメント１００の上面の凸部１２２と輪体１５０の上側部分が配される。
【００３４】
下翼板２２０の左右一対の下部フランジ部２２１の間には左右の各下部フランジ部２２１との間に案内溝を形成するように凸設された下部仕切り構造２２５が設けられる。下部仕切り構造２２５の左右幅が後方から前方に向かって左右等しく漸増し、下部仕切り構造２２５の正面視形状が二等辺三角形状にある。スライダー２００の前進及び後進時、下部仕切り構造２２５と下部フランジ部２２１の間の案内溝にはフックエレメント１００の下面の凸部１２２と輪体１５０の下側部分が配される。
【００３５】
上述の説明から理解できるように、上翼板２１０と下翼板２２０の各対向面には、フランジ部と仕切り構造から構築されたガイド構造が設けられ、これによりスライダー２００の前進及び後進時にフックエレメント１００及び輪体１５０の配向が制御され、輪体１５０を通じた左右のフックエレメント１００同士の係合及び非係合が達成される。
【００３６】
前述のようにスライダー主部２０１の前方にスライダー副部２０２が設けられる。スライダー副部２０２は、左右のフックエレメント１００をスライダー主部２０１へ送るべく構成される。詳細には、スライダー副部２０２は、上翼板２１０の前端部に対して連結した上部ガイド板２３０、下翼板２２０の前端部に対して連結した下部ガイド板２４０、及び上部ガイド板２３０と下部ガイド板２４０を連結する連結柱２５０を有する。
【００３７】
連結柱２５０は、前面視及び後面視して２カ所で屈曲した形状を呈する。上部ガイド板２３０、下部ガイド板２４０、及び連結柱２５０の全体の前面視及び後面視形状は、Ｓ字状を呈する。連結柱２５０は、上部ガイド板２３０に連結した柱上部２５１、下部ガイド板２４０に連結した柱下部２５２、及び左右方向に延在して柱上部２５１と柱下部２５２を連結する中間連結部２５３を有する。柱上部２５１が上部ガイド板２３０の左側縁部から下方に凸設され、柱下部２５２が下部ガイド板２４０の右側縁部から上方に凸設される。中間連結部２５３は、柱上部２５１の下端と柱下部２５２の上端を連結する。
【００３８】
中間連結部２５３が、左側のフックエレメント１００のフック部１１０の通過空間と右側のフックエレメント１００のフック部１１０の通過空間を区画する。端的には、中間連結部２５３と上部ガイド板２３０の間の上部空間を右側のフックエレメント１００のフック部１１０が通過可能である。また、中間連結部２５３と下部ガイド板２４０の間の下部空間を左側のフックエレメント１００のフック部１１０が通過可能である。
【００３９】
図６に示すように、柱上部２５１の後部には、前方から後方に向かって緩慢に上方へ傾斜した第１傾斜面２５１ｍが設けられる。柱上部２５１の前部には、前方から後方に向かって急峻に下方へ傾斜した第２傾斜面２５１ｎを有する。図８に示すように下部ガイド板２４０には下翼板２２０の下部仕切り構造２２５の上面に至るまで前方から後方に向かって緩慢に上方へ傾斜した第３傾斜面２４０ｍが設けられる。左側のフックエレメント１００は、第１傾斜面２５１ｍと第３傾斜面２４０ｍの間で案内され、上翼板２１０と下翼板２２０の間の空間と中間連結部２５３と下部ガイド板２４０の間の空間を行き来する。
【００４０】
図７に示すように、柱下部２５２の後部には前方から後方に向かって緩慢に上方へ傾斜した第４傾斜面２５２ｍが設けられる。柱下部２５２の前部には、前方から後方に向かって急峻に上方へ傾斜した第５傾斜面２５２ｎが設けられる。上部ガイド板２３０には上翼板２１０の上部仕切り構造２１５の下面に至るまで前方から後方に向かって緩慢に下方へ傾斜した第６傾斜面２３０ｍが設けられる。右側のフックエレメント１００は、第４傾斜面２５２ｍと第６傾斜面２３０ｍの間で案内され、上翼板２１０と下翼板２２０の間の空間と中間連結部２５３と上部ガイド板２３０の間の空間を行き来する。第５傾斜面２５２ｎは、フックエレメント１００のフック部１１０を中間連結部２５３と上部ガイド板２３０の間の上部空間に向けるように働く。
【００４１】
上部ガイド板２３０と上翼板２１０の境界位置において下方に突出する上部隆起部２６１が設けられる。上部隆起部２６１は、第６傾斜面２３０ｍと上部仕切り構造２１５の下面の境界に設けられる。同様に、下部ガイド板２４０と下翼板２２０の境界位置において上方に突出する下部隆起部２６２が設けられる。下部隆起部２６２は、第３傾斜面２４０ｍと下部仕切り構造２２５の上面の境界に設けられる。上部隆起部２６１と下部隆起部２６２が対向配置され、また同じ程度だけ隆起している。上部隆起部２６１と下部隆起部２６２により上下間隔が減じられ、フックエレメント１００のフック部１１０の上下変位が規制され、スライダー２００内でのフックエレメント１００の適切な動き／流れが確保される。なお、下部仕切り構造２２５の上面は、上部仕切り構造２１５に対向する面であり、上部仕切り構造２１５の下面は、下部仕切り構造２２５に対向する面である。
【００４２】
本実施形態においては、下部ガイド板２４０には左側のフックエレメント１００の本体部１２０を支持可能である支持板２４５が連結される。詳細には下部ガイド板２４０の左側縁に対して支持板２４５が連結し、下部ガイド板２４０と支持板２４５が協働してフックエレメント１００を支持することができる。図１から理解できるように、フックエレメント１００の本体部１２０が支持板２４５により支持され、フックエレメント１００のフック部１１０が下部ガイド板２４０により支持される。支持板２４５が設けられない場合、スライダー２００を前進させて左右のエレメント列３００を閉じる際、左側のフックエレメント１００のフック部１１０が下部ガイド板２４０の前端に引っ掛かることが懸念される。この場合、下部ガイド板２４０の前端にフック部１１０が引っ掛かった状態を手作業で解除することが必要になってしまう。フック部１１０自体の形状は、対応の輪体１５０の通過と係合の相手方のフックエレメント１００との十分な係合を確保する観点からさほど自由度がない。本実施形態においては、これらの点を踏まえ、下部ガイド板２４０に対して支持板２４５を連結し、より円滑なスライダー２００の動きを確保し、より円滑な左右のエレメント列３００の開閉を可能にする。
【００４３】
支持板２４５の上面は、下部ガイド板２４０の上面よりも段下げされ、フックエレメント１００の下面の凸部１２２との衝突が回避される。支持板２４５と下部ガイド板２４０の間には段差部２４４が設けられる。段差部２４４には、下部ガイド板２４０の上面と支持板２４５の上面を接続する段差面が設けられ、この段差面は、下部ガイド板２４０の上面から支持板２４５の上面まで緩慢に下る下り傾斜面である。支持板２４５の左側縁には前後方向に延びるガイド突起２４６が設けられる。ガイド突起２４６は、スライダー２００内に入る前の輪体１５０とフックエレメント１００の姿勢を正し、スライダー２００内へスムーズに入りやすくする。スライダー２００の前進及び後進時、輪体１５０やフックエレメント１００の凸部１２２は、段差部２４４とガイド突起２４６の間で位置規制されることになる。
【００４４】
ガイド突起２４６は、支持板２４５の前後長の全域に亘り延びるものではない。ガイド突起２４６は、支持板２４５の前端部や後端部には設けられず、その前後中央部に設けられ、ガイド突起２４６が輪体１５０やフックエレメント１００の動き／流れを妨げるように働くことが回避される。ガイド突起２４６と左側の下部フランジ部２２１の間には支持板２４５を切り欠いた切り欠き部が設けられる。この部分に支持板２４５やガイド突起２４６が不要であるためである。
【００４５】
ガイド突起２４６と段差部２４４の間の間隔は、下部フランジ部２２１と下部仕切り構造２２５の間の間隔と同等であり、フックエレメント１００の凸部１２２の左右幅及び連結柱２５０の左右幅よりも僅かに広い。
【００４６】
スライダー２００を前進させてスライドファスナー４００を閉じる際の動作について説明する。スライダー２００を前進させ、スライダー２００の前方にある左側の輪体１５０が支持板２４５上に配され、ガイド突起２４６と段差部２４４の間で位置規制される。スライダー２００を更に前進させると、その輪体１５０よりも一つ前方に位置するフックエレメント１００が下部ガイド板２４０と支持板２４５の上に配され、フックエレメント１００の下面の凸部１２２がガイド突起２４６と段差部２４４の間で位置規制される。またフックエレメント１００のフック部１１０が、下部ガイド板２４０と中間連結部２５３の間の下部空間に配される。スライダー２００を更に前進させると、フックエレメント１００のフック部１１０が、前述した下部空間を通過し、下部ガイド板２４０に設けられた第３傾斜面２４０ｍを上り、フックエレメント１００が上翼板２１０と下翼板２２０の間の空間に導入される。
【００４７】
フックエレメント１００のフック部１１０は、上部隆起部２６１と下部隆起部２６２の間の空間を通り、上部仕切り構造２１５と下部仕切り構造２２５の間を通過する。フックエレメント１００の本体部１２０の上面の凸部１２２は、上部フランジ部２１１と上部仕切り構造２１５の間の案内溝内を進む。同様に、フックエレメント１００の本体部１２０の下面の凸部１２２は、下部フランジ部２２１と下部仕切り構造２２５の間の案内溝内を進む。フック部１１０が上部隆起部２６１と下部隆起部２６２の間の空間を通る直後、フック部１１０が右側の輪体１５０内に挿入され、その後、相手側のフックエレメント１００の本体部１２０の被係合部１３０に係合される。
【００４８】
左側の上部フランジ部２１１と上部仕切り構造２１５の間の案内溝と、右側の上部フランジ部２１１と上部仕切り構造２１５の間の案内溝は、前方から後方に向かって緩慢に接近するように設けられる。左側の下部フランジ部２２１と下部仕切り構造２２５の間の案内溝と、右側の下部フランジ部２２１と下部仕切り構造２２５の間の案内溝は、前方から後方に向かって緩慢に接近するように設けられる。このように上翼板２１０と下翼板２２０には上下対称であり左右鏡像の４つの案内溝が設けられ、輪体１５０とフックエレメント１００の本体部１２０の上下の凸部１２２が案内される。
【００４９】
非係合の左側のフック部１１０と右側の輪体１５０から見て一つ後方に位置する左側の輪体１５０と右側のフックエレメント１００が上述の４つの案内溝による案内に応じて近接すると、一つ前方に位置するその左側のフック部１１０が右側へ動かされてその右側の輪体１５０内に挿入される。スライダー２００を更に前進させると、フック部１１０がより深く輪体１５０内に挿入されるように左右に配されたフックエレメント１００と輪体１５０が左右方向内側に動かされる。このようにして左側のフックエレメント１００のフック部１１０が右側の輪体１５０を通過する。
【００５０】
右側のフックエレメント１００が左側の輪体１５０を通過する過程に関しては、フックエレメント１００の本体部１２０が支持板２４５により支持されない点に大きな相違がある。また、フック部１１０が中間連結部２５３と上部ガイド板２３０の間の空間を通過し、上部ガイド板２３０の第６傾斜面２３０ｍにより下方へ案内される点にも相違がある。フック部１１０が上部隆起部２６１と下部隆起部２６２の間を通過し、スライダー主部２０１の４つの案内溝の案内に基づいてフック部１１０が対応の輪体１５０を通過する点は同じである。
【００５１】
スライダー２００の前進により左右のエレメント列３００を閉じる動作について説明したが、当業者であれば、スライダー２００の後進により左右のエレメント列３００が開けられる動作についても同様に理解することができるであろう。
【００５２】
＜第２実施形態＞
図１５及び図１６を参照して第２実施形態について説明する。図１５は、スライドファスナーのスライダーの概略的な前面図である。図１６は、スライドファスナーのスライダーの概略的な前面図であり、左右のエレメント列も併せて図示する。第１実施形態においては、支持板２４５が左側のフックエレメント１００の本体部１２０を支持するように設けられたが、右側のフックエレメント１００の本体部１２０を支持するように設けても構わない。このような場合においても第１実施形態と同様の効果を得ることができる。
【００５３】
図１５に示すように下部ガイド板２４０の右側縁に対して支持板２４５が連結され、図１６に示すように右側のフックエレメント１００の本体部１２０が支持板２４５上に載置可能である。このように連結柱２５０及び支持板２４５の各々を鏡像の如く左右反転させても第１実施形態と同様の効果を得ることができる。
【００５４】
上述の教示を踏まえると、当業者をすれば、各実施形態に対して様々な変更を加えることができる。実用新案登録請求の範囲に盛り込まれた符号は、参考のためであり、実用新案登録請求の範囲を限定解釈する目的で参照されるべきものではない。
【符号の説明】
【００５５】
４００  スライドファスナー
３００  エレメント列
２００  スライダー
２０１  スライダー主部
２０２  スライダー副部
２１０  上翼板
２２０  下翼板
２３０  上部ガイド板
２４０  下部ガイド板
２５０  連結柱
２５１  柱上部
２５２  柱下部
２５３  中間連結部
２４５  支持板
【図１】
0003197094.tif 000003
【図２】
0003197094.tif 000004
【図３】
0003197094.tif 000005
【図４】
0003197094.tif 000006
【図６】
0003197094.tif 000007
【図７】
0003197094.tif 000008
【図８】
0003197094.tif 000009
【図９】
0003197094.tif 000010
【図１０】
0003197094.tif 000011
【図１１】
0003197094.tif 000012
【図１２】
0003197094.tif 000013
【図１３】
0003197094.tif 000014
【図１４】
0003197094.tif 000015
【図１５】
0003197094.tif 000016
【図１６】
0003197094.tif 000017
【図５】
0003197094.tif 000018